(57)【要約】【課題】小さなゴミを取り込むことができるとともに、大きなゴミを絡め取ることが可能な清掃シートを提供すること。【解決手段】お互いに直交する第１方向Ｄ1、第２方向Ｄ2及び厚さ方向Ｔと、清掃領域ＣＲとを備える、不織布からなる清掃シート１であって、清掃シート１が、清掃領域ＣＲに、第１方向Ｄ1の一方向Ｄ11に突出している、複数の第１フラップ部１１と、第１方向Ｄ1の他方向Ｄ12に突出している、複数の第２フラップ部２１とを備え、複数の第１フラップ部１１と、複数の第２フラップ部２１とのそれぞれが、一端１３，２３及び他端１５，２５と、固定端部１７，２７と、固定端部１７，２７から遠ざかる方向に凸になるように湾曲している自由端部１９，２９とから構成されており、複数の第１フラップ部１１のそれぞれと、複数の第２フラップ部２１のそれぞれとが、隣接して配置されている清掃シート１。【選択図】図１
2019216857.tif 000002
【特許請求の範囲】
【請求項１】
お互いに直交する第１方向、第２方向及び厚さ方向と、清掃領域とを備える、不織布からなる清掃シートであって、
前記清掃シートが、前記清掃領域に、第１方向の一方向に突出している、複数の第１フラップ部と、第１方向の他方向に突出している、複数の第２フラップ部とを備え、
前記複数の第１フラップ部と、前記複数の第２フラップ部とのそれぞれが、一端及び他端と、前記一端及び前記他端を連結する固定端部と、前記一端及び前記他端を起点として前記固定端部から遠ざかる方向に凸になるように湾曲している自由端部とから構成されており、
前記複数の第１フラップ部のそれぞれと、前記複数の第２フラップ部のそれぞれとが、隣接して配置されている、
前記清掃シート。
【請求項２】
前記清掃シートが、第１方向において、前記複数の第１フラップ部として、内方に配置された、相対的に面積の小さな第１フラップ部と、外方に配置された、相対的に面積の大きな第１フラップ部とを備えており、前記複数の第２フラップ部として、内方に配置された、相対的に面積の小さな第２フラップ部と、外方に配置された、相対的に面積の大きな第２フラップ部とを備えている、請求項１に記載の清掃シート。
【請求項３】
前記複数の第１フラップ部のそれぞれが、第１フラップ部を任意の位置で折り返した場合に、第１フラップ部が存在しうる最大領域である第１可動領域を有し、前記複数の第２フラップ部のそれぞれが、第２フラップ部を任意の位置で折り返した場合に、第２フラップ部が存在しうる最大領域である第２可動領域を有し、
前記清掃シートが、隣接して配置されている、前記複数の第１フラップ部及び前記複数の第２フラップ部として、第１フラップ部の第１可動領域と、第２フラップ部の第２可動領域とが、前記厚さ方向において重複しているものを含む、
請求項１又は２に記載の清掃シート。
【請求項４】
前記清掃シートが、隣接して配置されている、前記複数の第１フラップ部及び前記複数の第２フラップ部として、第１フラップ部と、第２フラップ部とが、前記厚さ方向において重複しているものを含む、請求項１〜３のいずれか一項に記載の清掃シート。
【請求項５】
前記清掃シートが、隣接して配置されている、前記複数の第１フラップ部及び前記複数の第２フラップ部として、第１フラップ部の前記自由端部が、第２フラップ部の前記自由端部と交差していないが、第１フラップ部の前記固定端部が、第２フラップ部の前記固定端部と交差しているものを含む、請求項１〜４のいずれか一項に記載の清掃シート。
【請求項６】
表面シートと、薬液を保持する保水シートとを備えている複層清掃シートであって、
前記表面シートが、請求項１〜５のいずれか一項に記載の清掃シートから構成される、
前記複層清掃シート。
【発明の詳細な説明】
【技術分野】
【０００１】
本開示は、清掃シートに関する。
【背景技術】
【０００２】
被清掃面に存在するほこり、ゴミ等を清掃するための清掃シートが知られており、清掃性を向上させる等の観点から種々の改良が加えられている。
例えば、特許文献１には、清掃部を形成しているシート構造体からなる清掃シートであって、シート構造体は、シート原材に所定のパターンで多数の切れ目を形成してなる切れ目群を設けてシート原材の厚み方向に対して交差する方向にシート原材を引き伸ばして切れ目群の少なくとも一部を構成する複数の切れ目を拡幅してなる複数のスリット穴を形成しているシート材を備えており、且つ、清掃部に、シート材における少なくとも一部のスリット穴が位置している、ことを特徴とする清掃シートが記載されている。
【先行技術文献】
【特許文献】
【０００３】
【特許文献１】特開２０１３−２７６８２号
【発明の概要】
【発明が解決しようとする課題】
【０００４】
特許文献１に記載の清掃シートでは、切れ目群は、清掃シートを、その厚さ方向と交差する方向に引き延ばすために設けられたものであり、切れ目群が、清掃シートの清掃性に直接寄与するものではない。
従って、本開示は、小さなゴミを取り込むことができるとともに、大きなゴミを絡め取ることが可能な清掃シートを提供することを目的とする。
【課題を解決するための手段】
【０００５】
本開示者らは、お互いに直交する第１方向、第２方向及び厚さ方向と、清掃領域とを備える、不織布からなる清掃シートであって、上記清掃シートが、上記清掃領域に、第１方向の一方向に突出している、複数の第１フラップ部と、第１方向の他方向に突出している、複数の第２フラップ部とを備え、上記複数の第１フラップ部と、上記複数の第２フラップ部とのそれぞれが、一端及び他端と、上記一端及び上記他端を連結する固定端部と、上記一端及び上記他端を起点として上記固定端部から遠ざかる方向に凸になるように湾曲している自由端部とから構成されており、上記複数の第１フラップ部のそれぞれと、上記複数の第２フラップ部のそれぞれとが、隣接して配置されている清掃シートを見出した。
【発明の効果】
【０００６】
本開示の清掃シートは、小さなゴミを取り込むことができるとともに、大きなゴミを絡め取ることができる。
【図面の簡単な説明】
【０００７】
【図１】図１は、第１実施形態に従う清掃シート１の正面図である。
【図２】図２は、清掃シート１の背面図である。
【図３】図３は、図１の領域ＩＩＩの拡大斜視図である。
【図４】図４は、第１フラップ部１１及び第２フラップ部２１の往復運動を説明するための図であり、図１の領域ＩＩＩの拡大斜視図に相当する。
【図５】図５は、被清掃面を清掃後の清掃シート１を説明するための図である。
【図６】図６は、清掃シート１が、清掃具１０１に取付られた状態を説明するための図である。
【図７】図７は、第２実施形態に従う複層清掃シート５１の正面図である。
【図８】図８は、複層清掃シート５１の背面図である。
【図９】図９は、複層清掃シート５１の、図７のＩＩＩ−ＩＩＩ端面における端面図である。
【図１０】図１０は、図９の領域Ｘの拡大斜視図である。
【図１１】図１１は、フラップ部の可動領域を説明するための図である。
【図１２】図１２は、本開示の清掃シートにおけるフラップ部の例を説明するための図である。
【発明を実施するための形態】
【０００８】
［定義］
・フラップ部の「面積」
本明細書において、フラップ部（「第１フラップ部及び／又は第２フラップ部」を、単に『フラップ部』と称する場合がある）のそれぞれの面積は、フラップ部を構成する自由端部及び固定端部により画定される区画を、清掃シートの厚さ方向から測定した面積を意味する。
【０００９】
・フラップ部の「可動領域」
本明細書において、フラップ部の可動領域（「第１フラップ部の第１可動領域及び第２フラップ部の第２可動領域」を、単に『可動領域』と称する場合がある）は、フラップ部を任意の位置で、１又は複数回、清掃シートの残余の部分と接するように折り返した場合に、フラップ部が存在しうる最大領域を意味する。
【００１０】
図１１は、フラップ部の可動領域を説明するための図であり、フラップ部２０１は、一端２０３及び他端２０５と、一端２０３及び他端２０５を直線的に連結する固定端部２０７と、一端２０３及び他端２０５を起点として固定端部２０７から遠ざかる方向に突出している自由端部２０９とから構成されるものを備えており、自由端部２０９は、一端２０３及び最遠部２１１を通る直線部と、他端２０５及び最遠部２１１を通る直線部とから構成されている。
【００１１】
図１１にはまた、フラップ部２０１を、異なる位置で１回折り返した場合のフラップ部２０１ａ，フラップ部２０１ｂ，フラップ部２０１ｃ，及びフラップ部２０１ｄ（固定端部２０７にて折り返した場合）が示されており、可動領域２１３は、一端２０３を中心とし、一端２０３及び最遠部２１１を通る直線部を半径とする円弧２１５と、他端２０５を中心とし、他端２０５及び最遠部２１１を通る直線部を半径とする円弧２１７とにより区画される。
なお、図１１に示されるフラップ部２０１は、本開示の清掃シートにおける、フラップ部の可動領域の説明するためのもので有り、図７に示されるフラップ部２０１そのものは、本開示の清掃シートにおけるフラップ部に該当しない。
【００１２】
フラップ部が、図１２（ａ）に示されるような半円弧部から構成される自由端部３０９を備えるフラップ部３０１である場合には、フラップ部３０１の可動領域（図示せず）は、フラップ部３０１の自由端部３０９と、フラップ部３０１を、固定端部３０７のところで折り返したときの自由端部３０９とにより区画される。
フラップ部が、半円弧部未満の円弧部から構成される自由端部を備えるフラップ部である場合における可動領域も同様である。
【００１３】
具体的には、本開示は以下の態様に関する。
［態様１］
お互いに直交する第１方向、第２方向及び厚さ方向と、清掃領域とを備える、不織布からなる清掃シートであって、
上記清掃シートが、上記清掃領域に、第１方向の一方向に突出している、複数の第１フラップ部と、第１方向の他方向に突出している、複数の第２フラップ部とを備え、
上記複数の第１フラップ部と、上記複数の第２フラップ部とのそれぞれが、一端及び他端と、上記一端及び上記他端を連結する固定端部と、上記一端及び上記他端を起点として上記固定端部から遠ざかる方向に凸になるように湾曲している自由端部とから構成されており、
上記複数の第１フラップ部のそれぞれと、上記複数の第２フラップ部のそれぞれとが、隣接して配置されている、
上記清掃シート。
【００１４】
上記清掃シートは、所定の構成を有する、複数の第１フラップ部と、複数の第２フラップ部とを備えている。
上記清掃シートを清掃具に取付け、被清掃面を清掃する際に、清掃シートを第１方向の一方向に動かすと、第１フラップ部が、摩擦の高い部分(例えば、汚れ部分）と接触した際に、第１フラップ部が、第１面を内側にして、他方向に折り返される（以下、「フラップ部が、第１面を内側にして、他方向に折り返される」ことを、単に、『フラップ部が（他方向に）折り返される』と称する場合がある）と、清掃シートの、第１フラップ部が存在していた場所には、第１開口部が形成され、小さなゴミを、第１開口部から、内部（例えば、清掃シートと、清掃具との間、清掃シートを折り畳んで使用する場合には、折り畳まれた清掃シートの間）に取り込むことができる（以下、フラップ部が、小さなゴミを、開口部から、内部に取り込む作用を、「小ゴミ取り込み作用」と称する場合がある）。なお、上記小ゴミ取り込み作用は、第１開口部の、固定端部付近が最も高いため、清掃シートを一方向に動かす場合により高くなる傾向にある。なお、小ゴミは、不織布の繊維間にも取り込まれ、除去される。
【００１５】
また、清掃シートを第１方向の一方向に動かし、第１フラップ部が、他方向に折り返されることと、清掃シートを第１方向の他方向に動かし、第１フラップ部が一方向に戻ることとの往復運動を行う際に、第１フラップ部が、大きなゴミを絡め取ることができる（以下、フラップ部が往復運動を行うことにより大きなゴミを絡め取ることを、「大ゴミ絡め取り作用」と称する場合がある）。なお、大ゴミ絡め取り作用は、清掃シートの厚さが厚くなるため、第１フラップ部が他方向に折り返されている場合、すなわち、清掃シートを一方向に動かす場合に、より高くなる傾向にある。
【００１６】
さらに、清掃シートを用いて被清掃面を清掃する場合に、被清掃面に存在する、髪の毛、ホコリ等のゴミは、最初に、清掃シートの周辺部にて捕捉され、清掃シートの周辺部にて捕捉されなかったゴミが、清掃シートの中央部に移動する傾向がある。従って、清掃シートが捕捉したゴミの量が増えると、清掃シートの周縁部では、捕捉された、髪の毛、ホコリ等のゴミの量と、被清掃面に存在する、髪の毛、ホコリ等のゴミとが繋がり合い、棒状のゴミ連結体を形成する傾向がある。第１フラップ部は、往復運動を行う際に、ゴミ連結体を保持し続ける（以下、フラップ部が、往復運動を行う際に、ゴミ連結体を保持し続ける作用を、「ゴミ連結体保持作用」と称する場合がある）ことができる。なお、上記ゴミ連結体保持作用は、清掃シートの厚さが厚くなるため、第１フラップ部が他方向に折り返されている場合、すなわち、清掃シートを一方向に動かす場合に、より高くなる傾向にある。
【００１７】
さらに、第１フラップ部が折り返されている場合、すなわち、清掃シートを一方向に動かしている場合に、清掃シートが、折り返された第１フラップ部と、上記厚さ方向に重複する領域である凸領域と、第１開口部と、上記厚さ方向に重複する領域である凹領域とを含む凹凸領域を有することになるため、清掃シートによる、汚れ（例えば、皮脂汚れ）の拭き取り性が向上する（以下、フラップ部が折り返されることにより凹凸領域を形成し、汚れを拭き取ることを、「汚れ拭き取り作用」と称する場合がある）。また、第１フラップ部が折り返されることにより、清掃シートの新たな面（汚れていない面）が、被清掃面側に配置されることになるため、汚れの拭き取り性が向上する。
【００１８】
複数の第２フラップ部に着目すると、複数の第１フラップ部と同様に、小ゴミ取り込み作用、大ゴミ絡め取り作用、ゴミ連結体保持作用、及び汚れ拭き取り作用を有するが、それらの作用は、清掃シートを第１方向の他方向に動かしている場合に、より高くなる傾向がある。
以上より、上記清掃シートは、第１方向の一方向及び他方向のいずれの方向に動かした場合にも、小ゴミ取り込み作用、大ゴミ絡め取り作用、ゴミ連結体保持作用、及び汚れ拭き取り作用を示すことができる。
【００１９】
［態様２］
上記清掃シートが、第１方向において、上記複数の第１フラップ部として、内方に配置された、相対的に面積の小さな第１フラップ部と、外方に配置された、相対的に面積の大きな第１フラップ部とを備えており、上記複数の第２フラップ部として、内方に配置された、相対的に面積の小さな第２フラップ部と、外方に配置された、相対的に面積の大きな第２フラップ部とを備えている、態様１に記載の清掃シート。
【００２０】
上記清掃シートでは、第１方向において、外方に配置されている、面積の大きな第１フラップ部及び第２フラップ部が往復運動をする際に、被清掃面に存在するゴミを捕捉し、そして清掃シートが捕捉したゴミの量が増えてゴミ連結体が形成された場合にも、面積の大きな第１フラップ部及び第２フラップ部がゴミ連結体を保持しやすくなる。また、内方に配置されている、面積の小さい第１フラップ部及び第２フラップ部は、外方に配置されている、面積の大きな第１フラップ部及び第２フラップ部が取り残したゴミを捕捉することができる。
【００２１】
［態様３］
上記複数の第１フラップ部のそれぞれが、第１フラップ部を任意の位置で折り返した場合に、第１フラップ部が存在しうる最大領域である第１可動領域を有し、上記複数の第２フラップ部のそれぞれが、第２フラップ部を任意の位置で折り返した場合に、第２フラップ部が存在しうる最大領域である第２可動領域を有し、
上記清掃シートが、隣接して配置されている、上記複数の第１フラップ部及び上記複数の第２フラップ部として、第１フラップ部の第１可動領域と、第２フラップ部の第２可動領域とが、上記厚さ方向において重複しているものを含む、
態様１又は２に記載の清掃シート。
【００２２】
上記清掃シートは、所定の第１フラップ部及び第２フラップ部を含むので、清掃シートが被清掃面を清掃する際に、所定の第１フラップ部及び第２フラップ部が相互に干渉しあうことにより、それらが複雑な動きをすることができ、上述の小ゴミ取り込み作用、大ゴミ絡め取り作用、ゴミ連結体保持作用、及び汚れ拭き取り作用をより発揮することができる。
【００２３】
［態様４］
上記清掃シートが、隣接して配置されている、上記複数の第１フラップ部及び上記複数の第２フラップ部として、第１フラップ部と、第２フラップ部とが、上記厚さ方向において重複しているものを含む、態様１〜３のいずれか一項に記載の清掃シート。
【００２４】
上記清掃シートは、所定の第１フラップ部及び第２フラップ部を含むので、清掃シートが被清掃面を清掃する際に、当該所定の第１フラップ部及び第２フラップ部が、相互に干渉しあうことにより、それらが複雑な動きをすることができ、上述の小ゴミ取り込み作用、大ゴミ絡め取り作用、ゴミ連結体保持作用、及び汚れ拭き取り作用をより発揮することができる。
【００２５】
［態様５］
上記清掃シートが、隣接して配置されている、上記複数の第１フラップ部及び上記複数の第２フラップ部として、第１フラップ部の上記自由端部が、第２フラップ部の上記自由端部と交差していないが、第１フラップ部の上記固定端部が、第２フラップ部の上記固定端部と交差しているものを含む、態様１〜４のいずれか一項に記載の清掃シート。
【００２６】
上記清掃シートは、所定の第１フラップ部及び第２フラップ部を含むので、清掃シートが被清掃面を清掃する際に、当該所定の第１フラップ部及び第２フラップ部が、往復運動を行う際に起点となる自由端部の自由度を保持しながら、相互に干渉しあうことにより、それらが複雑な動きをすることができ、上述の小ゴミ取り込み作用、大ゴミ絡め取り作用、ゴミ連結体保持作用、及び汚れ拭き取り作用をより発揮することができる。
【００２７】
［態様６］
表面シートと、薬液を保持する保水シートとを備えている複層清掃シートであって、
上記表面シートが、態様１〜５のいずれか一項に記載の清掃シートから構成される、
上記複層清掃シート。
【００２８】
上記複層清掃シートは、複数の第１フラップ部及び第２フラップ部が折り返された場合に、保水シートが、表面シートを介さずに、保持している薬液を、汚れ部分に適用し、汚れ部分を湿潤化し、除去しやすくすることができる（以下、「汚れ部分湿潤化作用」と称する場合がある）。
【００２９】
本開示の清掃シートについて、以下、詳細に説明する。
図１〜図６は、本開示の実施形態の１つ（以下、「第１実施形態」と称する）に従う清掃シート１を説明するための図である。具体的には、図１は、清掃シート１の正面図である。図２は、清掃シート１の背面図である。図３は、図１の領域ＩＩＩの拡大斜視図である。図４は、第１フラップ部１１及び第２フラップ部２１の往復運動を説明するための図であり、図１の領域ＩＩＩの拡大斜視図に相当する。図５は、被清掃面を清掃後の清掃シート１を説明するための図である。図６は、清掃シート１が、清掃具１０１に取付られた状態を説明するための図である。
【００３０】
第１実施形態に従う清掃シート１は、お互いに直交する、平面方向Ｐと、厚さ方向Ｔとを備えている。平面方向Ｐは、お互いに直交する、第１方向Ｄ1と、第２方向Ｄ2とを含み、第１方向Ｄ1は、一方向Ｄ11と、他方向Ｄ12とに区画される。
なお、第１方向Ｄ1及び第２方向Ｄ2は、それぞれ、清掃シート１の短手方向及び長手方向と一致し、そして図６に示されるように、清掃シート１は、その第１方向Ｄ1（短手方向）が清掃具１０１の清掃シート取付部１０５の短手方向Ｓと一致し、そしてその第２方向Ｄ2（長手方向）が清掃具１０１の清掃シート取付部１０５の長手方向Ｌと一致するように取り付けられ、使用される。
【００３１】
清掃シート１は、不織布から構成され、第１面３と、第１面３と反対側の第２面５とを有し、被清掃面を清掃するための領域である清掃領域ＣＲを備えている。
第１面３と、第２面５とは、両面とも、清掃面を構成しうる。
【００３２】
清掃シート１は、清掃領域ＣＲに、複数の第１フラップ部１１と、複数の第２フラップ部２１とを備えている。
複数の第１フラップ部１１のそれぞれは、第１一端１３及び第１他端１５と、第１一端１３及び第１他端１５を直線的に連結する第１固定端部１７と、第１一端１３及び第１他端１５を起点として第１固定端部１７から遠ざかる方向に凸になるように湾曲している第１自由端部１９とから構成される。
【００３３】
同様に、複数の第２フラップ部２１のそれぞれは、第２一端２３及び第２他端２５と、第２一端２３及び第２他端２５を直線的に連結する第２固定端部２７と、第２一端２３及び第２他端２５を起点として第２固定端部２７から遠ざかる方向に凸になるように湾曲している第２自由端部２９とから構成される。
複数の第１フラップ部１１のそれぞれは、第１方向Ｄ1の一方向Ｄ11に突出しており、そして、複数の第２フラップ部２１のそれぞれは、第１方向Ｄ1の他方向Ｄ12に突出している。
【００３４】
清掃シート１は、第２方向Ｄ2に延びており、第１方向Ｄ1に離間して配置されている、７列の第１フラップ部群、具体的には、第１フラップ部第１群３１、第１フラップ部第２群３３、第１フラップ部第３群３５、第１フラップ部第４群３７、第１フラップ部第５群３９、第１フラップ部第６群４１、第１フラップ部第７群４３を備えている。
【００３５】
第１フラップ部第１群３１〜第１フラップ部第７群４３のそれぞれでは、複数の第１フラップ部１１のそれぞれと、複数の第２フラップ部２１のそれぞれとが、相反する方向に突出するように隣接して配置されている。
【００３６】
第１方向Ｄ1において、内方に配置されている、第１フラップ部第２群３３〜第１フラップ部第６群４１に含まれる、複数の第１フラップ部１１及び複数の第２フラップ部２１のそれぞれの面積は、外方に配置されている、第１フラップ部第１群３１及び第１フラップ部第７群４３に含まれる、複数の第１フラップ部１１及び複数の第２フラップ部２１のそれぞれの面積よりも相対的に小さい。
【００３７】
そうすることにより、第１方向Ｄ1において、外方に配置されている、第１フラップ部第１群３１及び第１フラップ部第７群４３に含まれる、複数の第１フラップ部１１及び複数の第２フラップ部２１のそれぞれが、相対的に大きな往復運動をする際に、ゴミ連結体を巻込むこと等により、肥大化したゴミ連結体を保持しやすくなる。
【００３８】
さらに、内方に配置されている、第１フラップ部第２群３３〜第１フラップ部第６群４１に含まれる、複数の第１フラップ部１１及び複数の第２フラップ部２１のそれぞれが、相対的に小さな往復運動を行い、外方に配置されている、第１フラップ部第１群３１及び第１フラップ部第７群４３に含まれる、複数の第１フラップ部１１及び複数の第２フラップ部２１が取り残したゴミを捕捉することができる。
【００３９】
また、第１フラップ部第２群３３〜第１フラップ部第６群４１に含まれる、複数の第１フラップ部１１が、清掃シート１が第１方向Ｄ1の一方向Ｄ11に移動する際に、第１フラップ部第１群３１及び第１フラップ部第７群４３が取り残したゴミを捕捉することができ、そして複数の第２フラップ部２１が、清掃シート１が第１方向Ｄ1の他方向Ｄ12に移動する際に、第１フラップ部第１群３１及び第１フラップ部第７群４３が取り残したゴミを捕捉することができる。
【００４０】
また、第１フラップ部第１群３１〜第１フラップ部第７群４３のそれぞれでは、第１方向Ｄ1の一方向Ｄ11に突出している、複数の第１フラップ部１１のそれぞれと、第１方向Ｄ1の他方向Ｄ12に突出している、複数の第２フラップ部２１のそれぞれとが、第２方向Ｄ2に交互に配置されている。そうすることにより、複数の第１フラップ部１１のそれぞれと、複数の第２フラップ部２１のそれぞれとが、相互に干渉しあい、小ゴミ取り込み作用、大ゴミ絡め取り作用、ゴミ連結体保持作用、及び汚れ拭き取り作用をより発揮することができる。
【００４１】
図３には、第１フラップ部１１（第１一端１３，第１他端１５，第１固定端部１７，第１自由端部１９，第１可動領域ＭＲ１，第１開口部４５）、具体的には、第１フラップ部１１ａ（第１一端１３ａ，第１他端１５ａ，第１固定端部１７ａ，第１自由端部１９ａ，第１可動領域ＭＲ１ａ，第１開口部４５ａ）、及び第１フラップ部１１ｃ（第１一端１３ｃ，第１他端１５ｃ，第１固定端部１７ｃ，第１自由端部１９ｃ，第１可動領域ＭＲ１ｃ，第１開口部４５ｃ）と、第２フラップ部２１（第２一端２３，第２他端２５，第２固定端部２７，第２自由端部２９，第２可動領域ＭＲ２，第２開口部４７）、具体的には、第２フラップ部２１ｂ（第２一端２３ｂ，第２他端２５ｂ，第２固定端部２７ｂ，第２自由端部２９ｂ，第２可動領域ＭＲ２ｂ，第２開口部４７ｂ）、及び第２フラップ部２１ｄ（第２一端２３ｄ，第２他端（図示せず），第２固定端部２７ｄ，第２自由端部２９ｄ，第２可動領域ＭＲ２ｄ，第２開口部４７ｄ）が示されている。
【００４２】
図３に示されるように、隣接する、第１フラップ部１１の第１可動領域ＭＲ１と、第２フラップ部２１の第２可動領域ＭＲ２が、厚さ方向Ｔに重複している。具体的には、第１フラップ部１１ａの第１可動領域ＭＲ１ａと、第２フラップ部２１ｂの第２可動領域ＭＲ２ｂとが、厚さ方向Ｔに重複しており、第２フラップ部２１ｂの第２可動領域ＭＲ２ｂと、第１フラップ部１１ｃの第１可動領域ＭＲ１ｃとが、厚さ方向Ｔに重複しており、そして第１フラップ部１１ｃの第１可動領域ＭＲ１ｃと、第２フラップ部２１ｄの第２可動領域ＭＲ２ｄとが、厚さ方向Ｔに重複している。
【００４３】
そうすることにより、第１フラップ部１１と、第２フラップ部２１とが相互に干渉しあうことにより、複雑な動きをすることができ、小ゴミ取り込み作用、大ゴミ絡め取り作用、ゴミ連結体保持作用、及び汚れ拭き取り作用をより発揮することができる。
【００４４】
また、図３に示されるように、隣接する、第１フラップ部１１そのものと、第２フラップ部２１そのものとは、厚さ方向Ｔに重複している。具体的には、第１フラップ部１１ａそのものと、第２フラップ部２１ｂそのものとが、厚さ方向Ｔに重複しており、第２フラップ部２１ｂそのものと、第１フラップ部１１ｃそのものとが、厚さ方向Ｔに重複しており、そして第１フラップ部１１ｃそのものと、第２フラップ部２１ｄそのものとが、厚さ方向Ｔに重複している。
【００４５】
そうすることにより、第１フラップ部１１と、第２フラップ部２１とが相互に干渉しあうことにより、複雑な動きをすることができ、小ゴミ取り込み作用、大ゴミ絡め取り作用、ゴミ連結体保持作用、及び汚れ拭き取り作用をより発揮することができる。
【００４６】
さらに、図３に示されるように、第１フラップ部１１ａの第１自由端部１９ａが、隣接する第２フラップ部２１ｂの第２自由端部２９ｂと交差しておらず、第１フラップ部１１ａの第１固定端部１７ａが、隣接する第２フラップ部２１ｂの第２固定端部２７ｂと交差している。
また、第１フラップ部１１ｃの第１自由端部１９ｃが、隣接する第２フラップ部２１ｄの第２自由端部２９ｄと交差しておらず、第１フラップ部１１ｃの第１固定端部１７ｃが、隣接する第２フラップ部２１ｄの第２固定端部２７ｄと交差している。
【００４７】
そうすることにより、第１フラップ部１１ａ及び第２フラップ部２１ｂが、往復運動を行う際に起点となる、第１自由端部１９ａ及び第２自由端部２９ｂの自由度を保持しながら、相互に干渉しあうことにより、それらが複雑な動きをすることができ、小ゴミ取り込み作用、大ゴミ絡め取り作用、ゴミ連結体保持作用、及び汚れ拭き取り作用をより発揮することができる。また、第１フラップ部１１ｃ及び第２フラップ部２１ｄが、往復運動を行う際に起点となる、第１自由端部１９ｃ及び第２自由端部２９ｄの自由度を保持しながら、相互に干渉しあうことにより、それらが複雑な動きをすることができ、小ゴミ取り込み作用、大ゴミ絡め取り作用、ゴミ連結体保持作用、及び汚れ拭き取り作用をより発揮することができる。
【００４８】
図３では、第１フラップ部第４群３７を構成する、第１フラップ部１１及び第２フラップ部２１の関係について説明したが、第１フラップ部第１群３１〜第１フラップ部第７群４３のそれぞれにおいても、第１フラップ部１１及び第２フラップ部２１は、同様の関係性を有する。
【００４９】
図４に示されるように、清掃シート１が、第１方向Ｄ1の一方向Ｄ11に動かされると、第１フラップ部１１（第１フラップ部１１ａ，及び第１フラップ部１１ｃ）が、第１方向Ｄ1の他方向Ｄ12に折り畳まれる。その際、第２フラップ部２１（第２フラップ部２１ｂ、及び第２フラップ部２１ｄ）が、第１方向Ｄ1の一方向Ｄ11に折り畳まれていた場合には、第１フラップ部１１（第１フラップ部１１ａ，及び第１フラップ部１１ｃ）が折り畳まれるのに合わせて、第２フラップ部２１（第２フラップ部２１ｂ、及び第２フラップ部２１ｄ）が、第１方向Ｄ1の他方向Ｄ12に向かって倒れ、元の位置に戻りやすくなる。
【００５０】
なお、第１フラップ部１１（第１フラップ部１１ａ，及び第１フラップ部１１ｃ）が、第１方向Ｄ1の他方向Ｄ12に折り畳まれることにより、第１フラップ部１１（第１フラップ部１１ａ，及び第１フラップ部１１ｃ）が存在していた場所に、第１開口部４５（第１開口部４５ａ，及び第１開口部４５ｃ）が形成され、そして第２フラップ部２１（第２フラップ部２１ｂ）が、第１方向Ｄ1の一方向Ｄ11に折り畳まれることにより、第２フラップ部２１（第２フラップ部２１ｂ）が存在していた場所に、第２開口部４７（第２開口部４７ｂ、及び第２開口部４７ｄ）が形成される。
【００５１】
なお、第１フラップ部１１が折り畳まれることにより形成される第１開口部４５は、第１フラップ部１１の折り返し起点である第１固定端部１７付近において、上述の小ゴミ取り込み作用が最も高くなる傾向があるため、第１開口部４５（第１開口部４５ａ，及び第１開口部４５ｃ）は、清掃シート１を第１方向Ｄ1の一方向Ｄ11に動かす場合に、上述の小ゴミ取り込み作用が高くなる傾向がある。また、第２フラップ部２１が折り畳まれることにより形成される第２開口部４７は、第２フラップ部２１の折り返し起点である第２固定端部２７付近において、上述の小ゴミ取り込み作用が最も高くなる傾向があるため、第２開口部４７（第２開口部４７ｂ，及び第２開口部４７ｄ）は、清掃シート１を第１方向Ｄ1の他方向Ｄ12に動かす場合に、上述の小ゴミ取り込み作用が高くなる傾向がある。
【００５２】
図示されていないが、清掃シート１が、第１方向Ｄ1の他方向Ｄ12に動かされると、第２フラップ部２１（第２フラップ部２１ｂ、及び第２フラップ部２１ｄ）が、第１方向Ｄ1の一方向Ｄ11に折り返される。それに合わせて、第１フラップ部１１（第１フラップ部１１ａ，及び第１フラップ部１１ｃ）が、第１方向Ｄ1の一方向Ｄ11に向かって倒れ、元の位置に戻りやすくなる。
【００５３】
図６に示されるように、清掃シート１を、把持部１０３及び清掃シート取付部１０５を備える清掃具１０１の、清掃シート取付部１０５に、清掃シート１の第１面３が被清掃面と接するように、そして第２面５が清掃シート取付部１０５に接するように取付け、被清掃面を清掃すると、図５に示されるように、複数の第１フラップ部１１と、複数の第２フラップ部２１のそれぞれとが、ゴミ連結体１０７を巻込むことにより保持するとともに、小さなゴミ（図示せず）を、複数の第１開口部４５のそれぞれと、複数の第２開口部４７とを介して収集し、小さなゴミ（図示せず）を、清掃シート１と、清掃シート取付部１０５との間に保持する。
【００５４】
図７〜図１０は、第２実施形態に従う複層清掃シート５１を説明するための図である。具体的には、図７は、第２実施形態に従う複層清掃シート５１の正面図である。図８は、複層清掃シート５１の背面図である。図９は、複層清掃シート５１の、図７のＩＩＩ−ＩＩＩ端面における端面図である。図１０は、図９の領域Ｘの拡大斜視図である。
【００５５】
第２実施形態に従う複層清掃シート５１は、清掃面を構成する第１表面シート５３と、薬液を保持する保水シート５５と、清掃面を構成する第２表面シート５７とを、その順番で備えており、第１表面シート５３及び第２表面シート５７の両面を、被清掃面の清掃に用いることができる。
【００５６】
第１表面シート５３及び第２表面シート５７のそれぞれは、第１実施形態に従う清掃シート１と同様に、清掃領域ＣＲに、複数の第１フラップ部１１と、複数の第２フラップ部２１とを備えている。
【００５７】
複数の第１フラップ部１１のそれぞれは、第１一端１３及び第１他端１５と、第１一端１３及び第１他端１５を直線的に連結する第１固定端部１７と、第１一端１３及び第１他端１５を起点として第１固定端部１７から遠ざかる方向に凸になるように湾曲している第１自由端部１９とから構成される。
【００５８】
同様に、複数の第２フラップ部２１のそれぞれは、第２一端２３及び第２他端２５と、第２一端２３及び第２他端２５を直線的に連結する第２固定端部２７と、第２一端２３及び第２他端２５を起点として第２固定端部２７から遠ざかる方向に凸になるように湾曲している第２自由端部２９とから構成される。
第１表面シート５３及び第２表面シート５７のそれぞれは、第１実施形態に従う清掃シート１と同様であることから、詳細な説明は省略する。
【００５９】
図１０に示されるように、第１表面シート５３は、不織布から構成され、第１面５９を構成するとともに、親水性繊維及び疎水性繊維を含む第１表面シート第１層６３と、第２面６１を構成するとともに、親水性繊維及び疎水性繊維を含む第１表面シート第２層６５とを含み、第１表面シート第２層６５の疎水性繊維の比率が、第１表面シート第１層６３の疎水性繊維の比率よりも高い。そうすることにより、第１表面シート第１層６３が、被清掃面に薬液を拡げ、被清掃面を清浄化することができ、そして被清掃面が、ゴミ、汚れ等が存在する摩擦の高い部分を有する場合には、第１フラップ部１１が折り返され、高比率で疎水性繊維を含む第１表面シート第２層６５が、湿潤した汚れ部分と接触し、汚れ部分を掻き取り、除去することができる。また、疎水性繊維の比率の高い第１表面シート第２層６５が、保水シート５５に張り付きにくくなるため、複数の第１フラップ部１１（及び複数の第２フラップ部）が、複層清掃シート５１の使用時に折り返されやすくなる。
【００６０】
第２表面シート５７も、被清掃面側に配置された、親水性繊維及び疎水性繊維を含む第２表面シート第１層（図示せず）と、保水シート５５側に配置された、親水性繊維及び疎水性繊維を含む第２表面シート第２層（図示せず）とを含むが、第１表面シート５３と同様であるため、説明を省略する。
【００６１】
本開示の清掃シートの構成は、特に制限されず、例えば、第１実施形態と同様に、そのまま、清掃シートとして用いられることができる。なお、本開示の清掃シートを、そのまま用いる場合には、第１面及び第２面の両面が、清掃面を構成する。
【００６２】
また、本開示の清掃シートは、複数の層を含む複層清掃シートを構成する構成シートとして、特に表面シートとして用いられることができる。
上記複層清掃シートとしては、上記構成シートを２枚以上積層したもの、例えば、第１層の構成シートと、第２層の構成シートとを、第１層の構成シートに含まれる、複数の第１フラップ部及び複数の第２フラップ部と、第２層の構成シートに含まれる、複数の第１フラップ部及び複数の第２フラップ部とが、複層清掃シートの厚さ方向に一致しないように、例えば、重複しないように積層したものが挙げられる。
【００６３】
上記複層清掃シートとしては、２枚の構成シートと、それらの間に配置された、薬液を保持する保水シートとから構成されるものが挙げられ、そして構成シートと、フィルム等の液不透過性シートと、それらの間に配置された保水シートとから構成されるものが挙げられる。さらに、上記複層清掃シートとしては、複数枚の構成シート（例えば、複数の第１フラップ部及び複数の第２フラップ部の形状が異なる複数枚の構成シート）と、当該複数枚の構成シートの一方に配置された保水シートとを含むものが挙げられる。
保水シートを備える複層清掃シートは、上述の汚れ部分湿潤化作用の観点から好ましい。
【００６４】
また、上記複層清掃シートは、構成シートと、保水シートとの間に、追加のシート、例えば、メッシュシートを含むものであってもよい。なお、保水シートが保持する薬液を被清掃面に存在するゴミ、汚れ等に直接適用する観点からは、構成シートと、保水シートとは、清掃シートの厚さ方向に隣接していることが好ましい。
【００６５】
本開示の清掃シートを構成する不織布は、被清掃面側の第１面と、第１面と反対側の第２面とを有するものであれば特に制限されず、当技術分野で清掃シートとして用いられるものを挙げることができ、例えば、スパンレース不織布、エアスルー不織布、スパンボンド不織布、ＳＭＳ不織布、サーマルボンド不織布、ポイントボンド不織布、メルトブローン不織布、ケミカルボンド不織布、エアレイド不織布等が挙げられる。
【００６６】
上記不織布は、親水性繊維と、疎水性繊維とを含むことが好ましく、そして親水性繊維及び疎水性繊維を、より好ましくは５〜４５質量％及び５５〜９５質量％、さらに好ましくは２０〜３０質量％及び７０〜８０質量％、そしてさらにいっそう好ましくは２３〜２８質量％及び７２〜７７質量％の比率で含む。そうすることにより、清掃シートが、固形状の汚れを掻き取りやすくなるとともに、親水性の液状汚れ及び疎水性の液状汚れを収集しやすくなる。
なお、上記不織布が、後述する２層又は３層以上の複層から構成される場合には、上述の親水性繊維及び疎水性繊維の比率は、不織布全体としての比率を意味する。
【００６７】
本開示の清掃シートが、保水シートを含む複層清掃シートの構成シートとして用いられる場合には、上記構成シートは、単層から構成されていてもよく、そして複層から構成されていてもよい。
上記構成シートが、２層又は３層以上の複層から構成される場合には、第１面を構成する第１層と、第２面を構成する第２層とのそれぞれが、親水性繊維及び疎水性繊維を含むことが好ましく、そして第２層を構成する疎水性繊維の比率が、第１層を構成する疎水性繊維の比率よりも好ましくは高く、より好ましくは１．００〜２．００倍高く、そしてさらに好ましくは１．０５〜１．５０倍高く、そしてさらにいっそう好ましくは１．１０〜１．２０倍高い。そうすることにより、第１層が、保水シートが保持する薬液を被清掃面に拡げる能力が相対的に高くなり、そして第２層が、汚れ部分の掻き取り性に相対的に優れることになる。
【００６８】
上記親水性繊維としては、セルロース系繊維、例えば、パルプ繊維、再生セルロース繊維、及び半合成セルロース繊維が挙げられる。上記再生セルロース繊維としては、レーヨン繊維、例えば、ビスコースから得られるビスコースレーヨン、ポリノジック及びモダール、セルロースの銅アンモニア塩溶液から得られる銅アンモニアレーヨン繊維（「キュプラ」とも称される）；有機化合物及び水の混合溶液である有機溶剤を用いた有機溶剤紡糸法によって得られ、セルロース誘導体を経ないリヨセル及びテンセル等が挙げられる。
上記半合成セルロース繊維としては、例えば、アセテート繊維、例えば、トリアセテート繊維及びジアセテート繊維が挙げられる。
【００６９】
上記疎水性繊維としては、合成繊維、例えば、熱融着性繊維、例えば、ポリオレフィン系ポリマー、例えば、ポリエチレン若しくはポリプロピレン；ポリエステル系ポリマー、例えば、テレフタレート系ポリマー、例えば、ポリエチレンテレフタレート（ＰＥＴ），ポリブチレンテレフタレート，ポリペンチレンテレフタレート；ポリアミド系ポリマー、例えば、ナイロン６若しくはナイロン６，６；アクリル系ポリマー；ポリアクリロニトリル系ポリマー；又はそれらの変性物、あるいはそれらの組み合わせ等から形成された繊維が挙げられる。
【００７０】
上記保水シートは、薬液を保持しうるものであれば、特に制限されず、当技術分野で保水シートとして用いられているものを制限なく採用することができ、例えば、エアレイドパルプ、スパンレース不織布、パルプシート、シート状のスポンジ等から構成されうる。
上記保水シートは、薬液を保持するため、親水性繊維を含むことができる。上記親水性繊維としては、表面シートの箇所で説明したものと同様のものが挙げられる。例えば、上記エアレイドパルプは、表面シートの箇所で説明した合成繊維と、親水性繊維（例えば、パルプ繊維）とを含むことができる。
上記保水シートが保持する薬液は、当技術分野で公知の薬液を採用しうる。
【００７１】
本開示の清掃シートは、清掃領域に、複数の第１フラップ部及び複数の第２フラップ部を備えている。複数の第１フラップ部及び複数の第２フラップ部のそれぞれは、一端及び他端と、一端及び他端を連結する直線状の固定端部と、一端及び他端を起点として固定端部から遠ざかる方向に凸となるように湾曲している自由端部とから構成されるものであれば、特に制限されず、任意の形状を有することができる。
【００７２】
また、複数の第１フラップ部及び複数の第２フラップ部のそれぞれは、自由端部の、固定端部から最も遠い最遠部の曲率半径が、好ましくは３．０〜２５．０ｍｍ、より好ましくは５．０〜２０．０ｍｍ、そしてさらに好ましくは７．０〜１５．０ｍｍである。そうすることにより、本開示の清掃シートを用いる際に、複数の第１フラップ部及び複数の第２フラップ部のそれぞれが往復運動しやすくなる。
【００７３】
図１２は、本開示の清掃シートにおけるフラップ部の例を説明するための図である。図１２（ａ）に示されるフラップ部３０１は、一端３０３及び他端３０５と、一端３０３及び他端３０５を直線的に連結する固定端部３０７と、一端３０３及び他端３０５を起点として固定端部３０７から遠ざかる方向に凸になるように湾曲している自由端部３０９とから構成されており、自由端部３０９が曲率半径Ｒ1の半円弧部であり、そして最遠部３１１がまた、曲率半径Ｒ1を有する。
【００７４】
図１２（ｂ）に示されるフラップ部３０１は、一端３０３及び他端３０５と、一端３０３及び他端３０５を直線的に連結する固定端部３０７と、一端３０３及び他端３０５を起点として固定端部３０７から遠ざかる方向に凸になるように湾曲している自由端部３０９とから構成されており、自由端部３０９が楕円弧部であり、そして最遠部３１１が、曲率半径Ｒ2を有する。
【００７５】
本開示の清掃シートは、任意の大きさを有する、複数の第１フラップ部と、複数の第２フラップ部とを備えることが可能であり、そして上記清掃シートが、複数の第１フラップ部として、第１方向において、内方に配置された、相対的に面積の小さな第１フラップ部と、外方に配置された、相対的に面積の大きな第１フラップ部とを備えているが好ましい。そうすることにより、外方に配置されている、相対的に面積の大きな第１フラップ部が、相対的に大きな往復運動をする際に、ゴミ連結体を巻込むこと等により、肥大化したゴミ連結体を保持しやすくなる。また、内方に配置されている、面積の小さな第１フラップ部は、相対的に小さな往復運動を行い、外方に配置されている、面積の大きな第１フラップ部が取り残したゴミを捕捉することができる。
【００７６】
また、同様の理由により、上記清掃シートが、複数の第２フラップ部として、第１方向において、内方に配置された、相対的に面積の小さな第２フラップ部と、外方に配置された、相対的に面積の大きな第２フラップ部とを備えているが好ましい。
【００７７】
本開示の清掃シートでは、複数の第１フラップ部のそれぞれが、所定の第１可動領域を有し、複数の第２フラップ部のそれぞれが、所定の第２可動領域を有するとともに、清掃シートが、隣接して配置されている、複数の第１フラップ部及び複数の第２フラップ部として、第１フラップ部の第１可動領域と、第２フラップ部の第２可動領域とが、清掃シートの厚さ方向において重複しているものを含むことが好ましい。そうすることにより、本開示の清掃シートが、上述の小ゴミ取り込み作用、大ゴミ絡め取り作用、ゴミ連結体保持作用、及び汚れ拭き取り作用をより発揮することができる。
【００７８】
本開示の清掃シートは、隣接して配置されている、複数の第１フラップ部及び複数の第２フラップ部として、第１フラップ部と、第２フラップ部とが、清掃シートの厚さ方向において重複しているものを含むことが好ましい。そうすることにより、本開示の清掃シートが、上述の小ゴミ取り込み作用、大ゴミ絡め取り作用、ゴミ連結体保持作用、及び汚れ拭き取り作用をより発揮することができる。
【００７９】
本開示の清掃シートは、隣接して配置されている、複数の第１フラップ部及び複数の第２フラップ部として、第１フラップ部の自由端部が、第２フラップ部の自由端部と交差していないが、第１フラップ部の固定端部が、第２フラップ部の固定端部と交差しているものを含むことが好ましい。そうすることにより、本開示の清掃シートが、上述の小ゴミ取り込み作用、大ゴミ絡め取り作用、ゴミ連結体保持作用、及び汚れ拭き取り作用をより発揮することができる。
【符号の説明】
【００８０】
１    清掃シート
３    第１面
５    第２面
１１    第１フラップ部
１３    第１一端
１５    第１他端
１７    第１固定端部
１９    第１自由端部
２１    第２フラップ部
２３    第２一端
２５    第２他端
２７    第２固定端部
２９    第２自由端部
３１    第１フラップ部第１群
３３    第１フラップ部第２群
３５    第１フラップ部第３群
３７    第１フラップ部第４群
３９    第１フラップ部第５群
４１    第１フラップ部第６群
４３    第１フラップ部第７群
４５    第１開口部
４７    第２開口部
５１    複層清掃シート
５３    第１表面シート
５５    保水シート
５７    第２表面シート
５９    第１面
６１    第２面
６３    第１表面シート第１層
６５    第１表面シート第２層
ＣＲ    清掃領域
Ｐ    平面方向
Ｄ1    第１方向
Ｄ11    一方向
Ｄ12    他方向
Ｄ2    第２方向
Ｔ    厚さ方向
ＭＲ１    第１可動領域
ＭＲ２    第２可動領域
Ｌ    長手方向
Ｓ    短手方向
【図１】
2019216857.tif 000003
【図２】
2019216857.tif 000004
【図３】
2019216857.tif 000005
【図４】
2019216857.tif 000006
【図５】
2019216857.tif 000007
【図６】
2019216857.tif 000008
【図７】
2019216857.tif 000009
【図８】
2019216857.tif 000010
【図９】
2019216857.tif 000011
【図１０】
2019216857.tif 000012
【図１１】
2019216857.tif 000013
【図１２】
2019216857.tif 000014